(57)【要約】【要約書】【課題】  広告が強制的に合成されるため、画面全体に対してホワイトバランスのような色調の調整が行われると、広告自体の色調が変化し本来の広告効果に影響するだけでなく、広告の色調により全体の色調が影響されていた。【目的】  本発明に係る発明の目的は、撮影者がファインダーを通して、撮影された画像データに広告などの所定情報を合成する電子スチルカメラにおいて、画像データ全体に色調の調整が行われても広告などの所定情報は影響を受けないようにすることで本来の広告効果を失わないようにするだけでなく、広告の色調により画像データ全体が影響されない様にすることで、本来の色調の調整が行われることを目的としている。【選択図】        図１
2005176189.tif 000002
【特許請求の範囲】
【請求項１】
光学レンズを通して受光した被写体からの光を電気的な画像データに変換する撮像手段と、
前記画像データを記憶可能な記憶手段と、
前記画像データから構成される撮影画面内で所定情報を合成する合成処理手段と、
前記画像データから構成される撮影画面全体に画像処理を行う画像処理手段と、
を有し、
前記合成手段により前記画像データから構成される撮影画面内で所定情報を最上位層に成された画像データに対して、前記画像処理手段により前記撮影画面全体に画像処理を行う場合、前記合成手段により、前記画像データから構成される撮影画面内で、前記記憶手段に記憶されている所定情報を合成する前の画像データに対して画像処理を行い、再度合成手段により撮影画面内に所定情報を最上位層に合成することを特徴とする画像処理装置。
【請求項２】
さらに、前記所定情報の範囲をマスク処理するマスク処理手段を有し、
前記合成手段により前記画像データから構成される撮影画面内に所定情報を最上位に合成された画像データに対して、前記画像処理手段により前記画像データ全体に画像処理を行う場合、
前記画像データに対して、前記マスク処理手段により前記所定情報の範囲をマスク処理し、前記画像処理手段により前記画像データ全体に画像処理を行うことを特徴とする請求項１に記載の画像処理装置。
【請求項３】
前記合成処理は、広告、日付情報、キャプション及び撮影情報を合成することを特徴とする請求項１または２に記載の画像処理装置。
【請求項４】
前記合成処理とは、複数の画像データを重ね合わせることを特徴とする請求項１または２に記載の画像処理装置。
【請求項５】
前記合成処理において複数の画像データを合成する場合に、前記マスク処理手段は、最上位層の画像データにはマスク処理を行わないことを特徴とする請求項２に記載の画像処理装置。
【請求項６】
前記画像処理手段は、ホワイトバランスあるいは色調の調整処理であることを特徴とする請求項１乃至５いずれかに記載の画像処理装置。
【請求項７】
光学レンズを通して受光した被写体からの光を撮像手段によって電気的に変換された画像データを入力する画像データ入力工程と、
前記画像データを記憶可能な記憶工程と、
前記画像データから構成される撮影画面内で所定情報を合成する合成処理工程と、
前記画像データから構成される撮影画面全体に画像処理を行う画像処理工程と、
を有し、
前記合成工程において前記画像データから構成される撮影画面内で所定情報を最上位層に成された画像データに対して、前記撮影画面全体に画像処理を行う場合、前記記憶工程において記憶されている前記合成手段により、前記画像データから構成される撮影画面内に所定情報を合成する前の画像データに対して画像処理を行い、再度合成手段により撮影画面内に所定情報を最上位層に合成することを特徴とする画像処理方法。
【発明の詳細な説明】
【技術分野】
【０００１】
本発明は撮像素子により得られる画像データと広告などの所定情報を合成するデジタルカメラ、ビデオカメラ、カメラ付き携帯電話、画像処理装置等に関するものである。
【背景技術】
【０００２】
ビデオカメラ，電子スチルカメラ等の撮像装置には、再生した白色が正しい白となるようにホワイトバランス調整手段が備えられている。そして近年、一画面全体の撮像素子の出力信号を積分することによって自動的にホワイトバランス調整を行うＴＴＬ（ｔｈｒｏｕｇｈ  ｔｈｅ  ｔａｋｉｎｇ  ｌｅｎｓ  ）方式の調整が良く用いられている（例えば、特許文献１参照）。
【特許文献１】特開平１０−１３６３８９号公報
【発明の開示】
【発明が解決しようとする課題】
【０００３】
カメラに限らず、商品に広告を付し、その広告料により価格を引き下げることは商業的な手法として普通に行われているところである。そして、このような広告は商品の包装や商品自体に付され、永続的に使用することで広告効果が期待できる。
【０００４】
カメラにおいては、こういった商品自体に広告が付されるだけでなく、ノベルティ目的で安価または無料で配布するものにおいては、撮影された画像データに広告を合成されることで広告効果を期待するものもある。
【０００５】
こういった広告を目的としているカメラでは、撮影された画像データに広告が強制的に合成されるのは当然であるが、広告が強制的に合成されるため、画面全体に対してホワイトバランスのような色調の調整が行われると、広告自体の色調が変化し本来の広告効果に影響するだけでなく、広告の色調により全体の色調が影響されていた。
【０００６】
また、画面全体を白黒やセピアの様に色調を変化させる画像処理においては、広告が白黒やセピアといった色調に変化し、本来の広告効果は全く期待できなかった。
【０００７】
本発明に係る発明の目的は、撮影者がファインダーを通して、撮影された画像データに広告などの所定情報を合成する電子スチルカメラにおいて、画像データ全体に色調の調整が行われても広告などの所定情報は影響を受けないようにすることで本来の広告効果を失わないようにするだけでなく、広告の色調により画像データ全体が影響されない様にすることで、本来の色調の調整が行われることを目的としている。
【課題を解決するための手段】
【０００８】
上記目的をするために、本発明に係る第一の発明は、光学レンズを通して受光した撮像画像を撮像素子により画像データに変換する撮像制御手段と、
前記画像データを記憶可能な記憶手段と、
前記画像データから構成される撮影画面内で所定情報を合成する合成処理手段と、
前記画像データから構成される撮影画面全体に画像処理を行う画像処理手段と、
を有し、
前記合成手段により前記画像データから構成される撮影画面内で所定情報を最上位層に成された画像データに対して、前記画像処理手段により前記撮影画面全体に画像処理を行う場合、前記記憶手段に記憶されている前記合成手段により、前記画像データから構成される撮影画面内に所定情報を合成する前の画像データに対して画像処理を行い、再度合成手段により撮影画面内に所定情報を最上位層に合成することを特徴とする。
【０００９】
また、本発明に係る第二の発明の画像処理方法は、
光学レンズを通して受光した被写体からの光を撮像手段によって電気的に変換された画像データを入力する画像データ入力工程と、
前記画像データを記憶可能な記憶工程と、
前記画像データから構成される撮影画面内で所定情報を合成する合成処理工程と、
前記画像データから構成される撮影画面全体に画像処理を行う画像処理工程と、
を有し、
前記合成工程において前記画像データから構成される撮影画面内で所定情報を最上位層に成された画像データに対して、前記撮影画面全体に画像処理を行う場合、前記記憶工程において記憶されている前記合成手段により、前記画像データから構成される撮影画面内に所定情報を合成する前の画像データに対して画像処理を行い、再度合成手段により撮影画面内に所定情報を最上位層に合成することを特徴とする。
【００１０】
以上、本発明を整理して要約すれば以下の構成に集約できる。
【００１１】
（１）光学レンズを通して受光した被写体からの光を電気的な画像データに変換する撮像手段と、
前記画像データを記憶可能な記憶手段と、
前記画像データから構成される撮影画面内で所定情報を合成する合成処理手段と、
前記画像データから構成される撮影画面全体に画像処理を行う画像処理手段と、
を有し、
前記合成手段により前記画像データから構成される撮影画面内で所定情報を最上位層に成された画像データに対して、前記画像処理手段により前記撮影画面全体に画像処理を行う場合、前記合成手段により、前記画像データから構成される撮影画面内で、前記記憶手段に記憶されている所定情報を合成する前の画像データに対して画像処理を行い、再度合成手段により撮影画面内に所定情報を最上位層に合成することを特徴とする画像処理装置。
【００１２】
（２）さらに、前記所定情報の範囲をマスク処理するマスク処理手段を有し、
前記合成手段により前記画像データから構成される撮影画面内に所定情報を最上位に合成された画像データに対して、前記画像処理手段により前記画像データ全体に画像処理を行う場合、
前記画像データに対して、前記マスク処理手段により前記所定情報の範囲をマスク処理し、前記画像処理手段により前記画像データ全体に画像処理を行うことを特徴とする前記（１）に記載の画像処理装置。
【００１３】
（３）前記合成処理は、広告、日付情報、キャプション及び撮影情報を合成することを特徴とする前記（１）または（２）に記載の画像処理装置。
【００１４】
（４）前記合成処理とは、複数の画像データを重ね合わせることを特徴とする前記（１）または（２）に記載の画像処理装置。
【００１５】
（５）前記合成処理において複数の画像データを合成する場合に、前記マスク処理手段は、最上位層の画像データにはマスク処理を行わないことを特徴とする前記（２）に記載の画像処理装置。
【００１６】
（６）前記画像処理手段は、ホワイトバランスあるいは色調の調整処理であることを特徴とする前記（１）乃至（５）いずれかに記載の画像処理装置。
【００１７】
（７）光学レンズを通して受光した被写体からの光を撮像手段によって電気的に変換された画像データを入力する画像データ入力工程と、
前記画像データを記憶可能な記憶工程と、
前記画像データから構成される撮影画面内で所定情報を合成する合成処理工程と、
前記画像データから構成される撮影画面全体に画像処理を行う画像処理工程と、
を有し、
前記合成工程において前記画像データから構成される撮影画面内で所定情報を最上位層に成された画像データに対して、前記撮影画面全体に画像処理を行う場合、前記記憶工程において記憶されている前記合成手段により、前記画像データから構成される撮影画面内に所定情報を合成する前の画像データに対して画像処理を行い、再度合成手段により撮影画面内に所定情報を最上位層に合成することを特徴とする画像処理方法。
【発明の効果】
【００１８】
ホワイトバランスの様な画像データ全体に色調の調整が行われても、広告情報は影響を受けず、本来の広告効果を失わない効果があるだけでなく、広告の色調により、画像情報全体が影響されない効果がある。
【発明を実施するための最良の形態】
【００１９】
以下、本発明の実施例を図面に基づいて説明する。
【実施例１】
【００２０】
以下、本発明を図示の実施の形態に基づいて詳細に説明する。
【００２１】
図１は本発明の実施の一形態に係る光学機器の一例である電子スチルカメラの構成を示す外観背面図である。
【００２２】
図１におけるカメラ１は、背面部に撮像可能な領域を撮影者が視認可能なファインダー２を持ち、カメラ１の前面部には不図示の内部に光学レンズを持つ鏡筒を持ち、カメラ１の内部には不図示の光学レンズを通して受光した被写体からの光をＣＣＤやＣＭＯＳといった撮像素子により電気的な画像データに変換する撮像手段であるとともに画像データを記憶可能なメモリを持つマイクロコンピュータ（以降マイコンと称する）を持つ。
【００２３】
マイコンは、撮影ボタン３を操作されたことを検知して、画像データを記憶可能なメモリに記憶する。
【００２４】
マイコンは画像データに対して、所定情報であるところの広告やデート情報を合成処理する合成処理手段でもある。
【００２５】
外部モニター４は、操作ボタン３を操作されると、マイコンが撮像した画像データに対して、広告やデート情報などの合成処理を行い、メモリに記憶するとともに、画像データを外部モニター４に表示することで、今撮影した画像を撮影者が視認する為のものである。
【００２６】
図２は、所定情報として広告の合成処理を行う電子スチルカメラで撮影した場合の画像データの流れを示す。
【００２７】
２−１は撮影者が撮像可能な領域を、ファインダーを通して見た画像である。撮影者は、希望する画像をファインダーで確認し、撮影ボタンを操作することで画像データの取り込みを行う。
【００２８】
２−２は、２−１で取り込まれた画像であり、ファインダーで見た画像が電気な情報として取り込まれる。
【００２９】
２−３は、２−２で取り込まれた画像データに対して広告情報の合成処理を模した図である。合成処理は、画像の重ね合わせであり、広告画像が最上位に位置する。この画像データはメモリに記憶される。
【００３０】
２−４は、２−３で合成された合成画像であり、広告画像が他の画像にマスクされることなく最上位に位置している。
【００３１】
２−５は、外部モニターに表示される画像であり、２−４の合成画像が表示される。
【００３２】
本実施の形態では、撮影者が撮影後に外部モニターに表示された合成画像に対し画像データ全体に画像処理を行うホワイトバランス釦を操作し、ホワイトバランス処理を行う場合に制御に関するものであり、前述の撮影時の画像データの流れの際に、２−２の合成処理前の画像をメモリに記憶し、以下のホワイトバランス処理を行うことで実施される。
【００３３】
図３のフローチャートを用いて説明する。
【００３４】
図３は、撮影者が撮影後に外部モニターに表示された合成画像に対して、ホワイトバランス処理を行うために、ホワイトバランス釦を操作した場合に実行される。
【００３５】
＃１０１では、ホワイトバランスボタンが操作されたかどうかを検出しており、操作されていれば＃１０２に進み、そうでなければ何もせず終了する。
【００３６】
＃１０２では、合成処理前の画像を習得する。これは、図２で示された２−２でメモリに記憶されている画像データを習得し、＃１０３に進む。
【００３７】
＃１０３では、＃１０２で習得した合成処理前の画像に対して、ホワイトバランス処理を行い、＃１０４に進む。
【００３８】
＃１０４では、＃１０３でホワイトバランス処理を行った画像に対して、２−３の様に広告画像の合成処理を行い、＃１０５に進む。
【００３９】
＃１０５では、広告画像の合成された画像をメモリに保存します。図３には、書かれていないが、＃１０５の最終的な画像データを再度外部モニターに表示しても良い。
【００４０】
これらにより、ホワイトバランスの様な画像データ全体に色調の調整が行われても、広告情報は影響を受けず、本来の広告効果を失わない効果があるだけでなく、広告の色調により、画像情報全体が影響されない効果がある。
【００４１】
本実施例では、ホワイトバランス処理に関して述べたが、例えば白黒やセピア色に変換する色調を調整する処理だとしても同様のフローを実行することで同様の効果を得ることができる。
【実施例２】
【００４２】
以下、本発明の第２の実施の形態に基づいて詳細に説明する。
【００４３】
ここで、本発明の実施の一形態に係る光学機器の一例である電子スチルカメラの構成は、第１の実施例で述べた図１の構成と同じであり、ここでは省略する。
【００４４】
また、所定情報として広告の合成処理を行う電子スチルカメラで撮影した場合の画像データの流れは、１の実施例で図２で述べた流れと同じであり、ここでは省略する。
【００４５】
本実施の形態では、撮影者が撮影後に外部モニターに表示された合成画像に対し、ホワイトバランス釦を操作し、ホワイトバランス処理を行う場合に制御に関するものであり、以下のフローチャートを行うことで実施される。
【００４６】
図４のフローチャートを用いて説明する図４は、撮影者が撮影後に外部モニターに表示された合成画像に対して、ホワイトバランス処理を行うために、ホワイトバランス釦を操作した場合に実行される。
【００４７】
＃２０１では、ホワイトバランスボタンが操作されたかどうかを検出しています。操作されていれば＃２０２に進み、そうでなければ何もせず終了する。
【００４８】
＃１０２では、合成処理後の画像を習得します。これは、図２で示された２−４でメモリに記憶されている画像データを習得し、＃２０３に進む。
【００４９】
＃２０３では、＃２０２で習得した合成処理後の画像に対して、広告画像部のマスク処理を行い、＃２０４に進む。
【００５０】
＃２０４では、＃２０２で習得した合成処理後の画像に対して＃２０３で広告画像部のマスク処理を行うことで、広告以外の画像に対してホワイトバランス処理を行い、＃２０５に進む。
【００５１】
＃２０５では、広告画像の合成された画像をメモリに保存する。
【００５２】
これらにより、ホワイトバランスの様な画像データ全体に色調の調整が行われても、広告情報は影響を受けず、本来の広告効果を失わない効果があるだけでなく、広告の色調により、画像情報全体が影響されない効果がある。
【００５３】
なお、図４のフローチャートをここでは、デジタルカメラ等の撮像装置上で、ホワイトバランス釦を押下することによって実行したが、光学レンズを通して受光した被写体からの光を撮像手段によって電気的に変換された画像データをパソコン等に入力し、画像処理アプリケーションソフトで同様の処理を行なっても良い。
【図面の簡単な説明】
【００５４】
【図１】本発明の実施の一形態に係る光学機器を示す図
【図２】図２は電子スチルカメラで撮影した場合の画像データの流れを示す図
【図３】第１の実施例に対する制御フローチャート
【図４】第２の実施例に対する制御フローチャート
【符号の説明】
【００５５】
１      カメラ
２      ファインダー
３      撮影ボタン
４      外部モニター
５      ホワイトバランスボタン
２−１  ファインダー状態
２−２  合成処理前の画像状態
２−３  広告画像の合成処理
２−４  広告画像の合成処理後の状態
２−５  撮影後のモニタ画像の出力状態
【図１】
2005176189.tif 000003
【図２】
2005176189.tif 000004
【図３】
2005176189.tif 000005
【図４】
2005176189.tif 000006